(57)【特許請求の範囲】
【請求項１】
既設の和風便器から他の衛生設備に施工する施工構造であって、
該和風便器の便鉢部上方を切断することによって除去し、
新規衛生設備の排水口と、和風便器の排水口を露呈させるように設けた接続配管挿入口と、を結ぶ接続配管が埋設される位置に対応する床仕上部を前記接続配管が突出しない深さまで除去して床下地部を形成し、
前記和風便器の便鉢側壁に前記接続配管を通すために、前記床下地部が形成された位置に対応する前記便鉢側壁の一部を除去することで側壁除去部を形成し、
前記側壁除去部の周囲に、前記側壁除去部と前記床下地部とに跨るようアスファルトシートを載置した後で、
前記接続配管の一端を前記接続配管挿入口に挿入するとともに、前記接続配管の他端を前記新規衛生設備の排水口と接続することで、前記新規衛生設備の排水口と前記既設の和風便器の排水口とを前記接続配管により直接接続するように、前記接続配管を前記側壁除去部を通じて前記床下地部に設置し、
前記床下地部と既設和風便器内部に充填材を流し込むことを特徴とする衛生設備の施工構造。
【請求項２】
請求項１に記載のアスファルトシートの代わりに塩ビシート、アルミニウム製シート又は不飽和ポリエステル樹脂含浸ガラス繊維シートを載置することを特徴とする請求項１に記載の衛生設備の施工構造。
【発明の詳細な説明】
【０００１】
【発明の属する技術分野】
本発明は、衛生設備の施工構造及び施工方法に係わり、特に設置階からだけの作業で、和風便器から他の衛生設備への施工を短工期で行うことのできる衛生設備の施工方法に関する。
【０００２】
【従来の技術】
多層階の建築物における和風便器から他の衛生設備への改修施工においては、
従来より、特開昭５９−２２４７３８に見られるようなものがある。これは、階上における衛生設備の改修施工を行う場合に、階下からの作業を無くすために発明されたものであって、既設の和風便器の便鉢部を除去して既設排水管を露出させ、連絡管を立設した後、この連絡管と便鉢内部にモルタル等を埋め戻す構造である。
【０００３】
【発明が解決しようとする課題】
ところで、このような改修作業を行う場合、新規に設置する衛生設備の排水用配管は、既存の和風便器内部にある場合には、特開昭５９−２２４７３８に記載されている技術そのままで施工可能であった。新規の衛生設備の種類、数や向き等の事情によって、既存の和風便器外部に新規に設置する衛生設備の排水用配管を設ける必要がある場合には、併せて短期間に和風便器外部の床下に関する施工が必要となる。
【０００４】
そこで本発明は、新規衛生設備の種類、数や向き等の事情によって、その配管を既存の和風便器外部に設ける必要がある場合であっても、設置階からだけの作業で短期に改修施工することが可能な施工構造を提供することを目的とする。
【０００５】
【課題を解決するための手段】
上記目的を達成するために、本発明においては、既設の和風便器から他の衛生設備に施工する施工構造であって、該和風便器の便鉢部上方を切断することによって除去し、新規衛生設備の排水口と、和風便器の排水口を露呈させるように設けた接続配管挿入口と、を結ぶ接続配管が埋設される位置に対応する床仕上部を前記接続配管が突出しない深さまで除去して床下地部を形成し、前記和風便器の便鉢側壁に前記接続配管を通すために、前記床下地部が形成された位置に対応する前記便鉢側壁の一部を除去することで側壁除去部を形成し、前記側壁除去部の周囲に、前記側壁除去部と前記床下地部とに跨るようアスファルトシートを載置した後で、前記接続配管の一端を前記接続配管挿入口に挿入するとともに、前記接続配管の他端を前記新規衛生設備の排水口と接続することで、前記新規衛生設備の排水口と前記既設の和風便器の排水口とを前記接続配管により直接接続するように、前記接続配管を前記側壁除去部を通じて前記床下地部に設置し、前記床下地部と既設和風便器内部に充填材を流し込むことを特徴とする衛生設備の施工構造を提供する。
【０００６】
この発明では、新規衛生設備の種類、数や向き等の事情によって、その配管を既存の和風便器外部に設ける必要がある場合であっても、既存の和風便器を全て粉砕して取り除くことなく、設置階からだけの作業で短期に改修施工することが可能になる。
また、和風便器外部に接続配管を埋設し、この除去部と床下地部とに跨るようアスファルトシートを載置するので、充填材が階下に漏れることなく、一度に充填材を流すことで、和風便器便鉢内部と外部の接続配管埋設部を同時に水密に施工できる。
更に、新規に設置する衛生設備の排水用配管の材質が塩ビである場合、充填材で前記排水用配管を被覆するので、耐火構造とすることができる。
【０００７】
【発明の実施の形態】
以下、図面を基に本発明の一実施例を具体的に説明する。
図１は、既設の和風便器と新規衛生設備の配管の位置関係を表した平面図である。図２は、図１におけるＡＡ断面図である。
【０００８】
図１における既設の和風便器５においては、新規衛生設備の設置面を従来の床仕上げ面と同一面にするために、前立部１６と床仕上げ面１００より上に突出する外周リム部１４の切断を行なっている。新規衛生設備の設置面を従来の床仕上げ面１００と同一面にするのでなければ、床仕上げ面１００に突出した和風便器５の外周リム部１４は切断する必要がない。以下にその切断方法を開示する。
【０００９】
図３において、前立て部１６の切断を行うにあたり、和風便器５のリム部１４上面より１０ｍｍ程度上を、マジック１２でケガキ線１５を入れる。前立て部１６の内側にケガキ線１５を入れる場合は、ケガキ用治具１３があると作業しやすい。ケガキ用治具１３の材質は、紙やベニア板など簡易的なもので製作するが、材質は特に限定されない。
【００１０】
次にリム部１４の切断を行うためのケガキ線１７を入れる。図４は、ケガキ線１７を入れたときの斜視図である。ケガキ線１７を入れる方法は、前述の前立て部１６のものと変らない方法で行うことができる。
【００１１】
ここで、リム部１４の切断寸法について説明する。図５は、和風便器５のリム部１４近傍の断面図である。既設の和風便器５は、水袋下２４が、支え台２５を介してスラブ２３に引っかかるようにして固定されている。
【００１２】
図５におけるｄは、切断されるべきリムの範囲を表す。突起２４が床スラブ２３に引っかかっている箇所より深くリムを切断する、すなわち深さｄよりも深い位置でリム部１４を切断すると、和風便器５は、床スラブ２３への固定手段を失い、階下に落下する可能性がある。
和風便器５のリム深さ寸法に明確な基準は存在しないが、本出願人の実施したサンプルによる試験によれば、リム上面からの深さｄを７０ｍｍ以下の寸法にしておけば、床から突出している和風便器５のリム部１４を切断しても、階下に和風便器５が落下しないようである。
【００１３】
このようにして入れられたケガキ線に従い、和風便器５を切断する。工具はディスクグラインダ１８を用いる。まず、ケガキ線１５に従い、前立て部１６を切断する。次にケガキ線１７に従い、リム部１４を切断する。ディスクグラインダ１８は、ハンド作業であるが、ディスクグラインダ１８をアルミ製のフレームなどに固定し、一定の高さで切断出来るようにするとさらに効率が上がる。
【００１４】
なお、切断片をを取除きやすくするために、図6のように、ケガキ線１９を複数箇所入れ、ケガキ線１９に沿って縦にディスクグラインダ１８で切り込みを入れると切断片を取除きやすい。
このようにして、図１に示すような、床仕上げ面１００より上面が全て切断された和風便器５を得る。
【００１５】
次に、接続配管６が埋設されるべき部分を削除し、床下地部３を形成する。
接続配管６を設置すべき部分を取除く場合、床仕上げ面１００から接続配管６が突出しないような深さまで床下地部３を形成する。取除く深さは浅いほど施工が楽であるが、フランジ上面から接続配管６の最下部までの寸法と、後で施工するアスファルトシート９の厚みを考慮して、少なくとも１００ｍｍは確保する必要がある。
【００１６】
次に、接続配管６が通るべき、和風便器５の便鉢側壁を切断する。切断は、前述の前立て部及びリム部１４の切断と同様であり、本実施例では、床下地部３と同じ断面になる。切断後を図７に示す。
【００１７】
上述の実施例では、先に接続配管６が埋設されるべき床下地部３を除去し、その後和風便器５の便鉢側壁を切断しているが、順序はこの逆であっても構わない。
また、便鉢側壁は本実施例では、切断により床下地部３と同じ断面であるが、接続配管6の貫通する孔を穿つことも可能である。
【００１８】
前述の和風便器５の切断を行なった場合、床スラブ２３との関係は、図１のＡＡ断面であり、これを図２に示す。ここで、和風便器５の施工方法の相違により、床スラブ２３と和風便器５の関係で、隙間７を生じる場合がある。また、床スラブ２３が和風便器５の排水口周囲まで回り込んでおり、必ずしも隙間７を生じていない場合であっても、接続配管６を被うために充填材を流し込んだ場合、階下への充填材の流出が懸念される。
【００１９】
そこで、和風便器５の側壁除去部と床下地部３とにわたって、アスファルトシート９で覆う。図８は、アスファルトシート９を被せた状態である。アスファルトシート９は、水密性、強度、追従性を同時に兼ね備えたものである。同種の性能を備えたシートとしては、塩ビシートおよびアルミテープなどが上げられる。アスファルトシート９の厚みは0.4ｍｍ以下が望ましい。0.4ｍｍ以上厚くなると、和風便器５や床８に追従することが出来ない。アスファルトシート９はカッター１０などで切れ込みを入れるとより追従させやすい。
【００２０】
アスファルトシート９の貼りつけ直前に、予めペースト状のエポキシ樹脂を塗布しておくことも可能である。このようにすると、隙間７をより確実に埋めることが出来る。図９は、アスファルトシート９の貼りつけ直前に、隙間７の周囲にエポキシ樹脂１１を塗布した状態である。エポキシ樹脂１１は2液性で主剤と硬化剤を混ぜ合わせることにより硬化する。主剤の成分は、エポキシ樹脂である。硬化剤の成分はポリチオールであり、流動性が少なく、速乾性であることが望ましい。
【００２１】
本発明では、隙間７を埋めるためにアスファルトシートを用いている。これは、水密性が要求され、床下地部や和風便器除去形状に追従し、更に後述するモルタルの重量を支えるための強度を保持し、モルタルの反応熱に耐え、なおかつ安価であることが全て充足されるからである。アスファルトシートに代わるものとしては、塩ビ製シート又はアルミ製シートが同じ条件での使用に耐える。この場合の厚さは強度確保のため最低1mmは必要である。厚くなると追従性に劣る。また、ガラス繊維シートも使用することができる。この場合、最低300番台の目の粗さのシートを使用し、バックアップ樹脂として不飽和ポリエステルを含浸させればよい。
【００２２】
このようにして形成された床下地部３に接続配管６を設置する。図2にその斜視図を示す。接続配管挿入口１に接続配管６を挿入し、その回りに接着剤２０を用いて水密性を確保するのが一般的であるが、後で流し込む充填材の流出を防止する構造であれば、この構造は特に特定されない。
【００２３】
充填材を和風便器５および床下地部３に流し込むことにより、接続配管6を水密状に固定すると伴に、耐火被覆できる。充填材の種類としては、通常のポルトランドセメントで良いが和風便器５のひび割れが発生するため、硬化の際に膨張、収縮の差が顕著なものは適さない。
【００２４】
【発明の効果】
本発明は、新規衛生設備の種類、数や向き等の事情によって、その配管を既存の和風便器外部に設ける必要がある場合であっても、既存の和風便器を全て粉砕して取り除くことなく、設置階からだけの作業で短期に改修施工することが可能になる。
また、和風便器外部に接続配管を埋設し、この除去部と床下地部とに跨るようアスファルトシートを載置するので、モルタルが階下に漏れることなく、一度にモルタルを流すことで、和風便器便鉢内部と外部の接続配管埋設部を同時に水密に施工できる。
【図面の簡単な説明】
【図１】既設の和風便器と新規衛生設備の配管の位置関係を表した平面図である。
【図２】図１における断面図である。
【図３】ケガキ線を入れたときの斜視図である。
【図４】ケガキ線を入れたときの斜視図である。
【図５】和風便器リム部の断面図である。
【図６】和風便器カット時の斜視図である。
【図７】床下地部を形成したときの斜視図である。
【図８】アスファルトシートを被せた場合の斜視図である。
１ …  接続配管挿入口
２ …  新規衛生設備排水口
３ …  床下地部
５ …  既設の和風便器
６ …  接続配管
７ …  隙間
９ …  アスファルトシート
２３ …  床スラブ
１００ …  床仕上げ面
【図１】
0004655299.tif 000002
【図２】
0004655299.tif 000003
【図３】
0004655299.tif 000004
【図４】
0004655299.tif 000005
【図５】
0004655299.tif 000006
【図６】
0004655299.tif 000007
【図７】
0004655299.tif 000008
【図８】
0004655299.tif 000009